(57)【要約】      （修正有）【課題】特に前歯の裏側に刷毛が良好に当接可能となり、理想的な歯の清掃をすることができる歯ブラシを提供する。【解決手段】ヘッド部１２に植設された刷毛群を、垂直に植設された垂直刷毛群１３と、ヘッド部１２の把柄部１１側に、毛先が把柄部１１方向に向くように傾斜して植設された傾斜刷毛群１４とにより構成することで、歯の形状、配置、角度によって刷毛群を使い分けることができ、良好な口腔清掃が可能となる。さらに、傾斜刷毛群１４の毛先が把柄部１１に対して角度βをなすように構成することで、前歯の裏を清掃する際に、傾斜刷毛群１４の毛先を歯の裏のような角度をもった部位に対して垂直に近い状態で当接することができ、把柄部１１を把持する角度を急角度に変えなくとも良好な口腔清掃が可能となる。【選択図】図１
0003120281.tif 000002
【実用新案登録請求の範囲】
【請求項１】
把柄部と、前記把柄部の先端に設けられたヘッド部と、前記ヘッド部に植設された刷毛群とを備えた歯ブラシであって、
前記刷毛群は、前記ヘッド部に垂直に植設された垂直刷毛群と、前記ヘッド部の前記把柄部側に、毛先が前記把柄部方向に向くように傾斜して植設された傾斜刷毛群とにより構成されることを特徴とする歯ブラシ。
【請求項２】
前記垂直刷毛群と前記傾斜刷毛群とが連設されていることを特徴とする請求項１に記載の歯ブラシ。
【請求項３】
前記把柄部と前記ヘッド部との間には湾曲部が形成されていることを特徴とする請求項１又は２に記載の歯ブラシ。
【請求項４】
前記ヘッド部はフラット面を有し、前記垂直刷毛群は前記フラット面に垂直に植設され、前記傾斜刷毛群は前記フラット面に斜めに植設されていることを特徴とする請求項１〜３のいずれか１項に記載の歯ブラシ。
【請求項５】
前記傾斜刷毛群は前記把柄部に近づくにつれて長さが短くなることを特徴とする請求項４に記載の歯ブラシ。
【請求項６】
前記ヘッド部はフラット面と、前記把柄部側に形成された斜面とを有し、前記垂直刷毛群は前記フラット面に垂直に植設され、前記傾斜刷毛群は前記斜面に垂直に植設されていることを特徴とする請求項１〜３のいずれか１項に記載の歯ブラシ。
【請求項７】
前記傾斜刷毛群は、前記垂直刷毛群に対して４５度に傾斜することを特徴とする請求項１〜６のいずれか１項に記載の歯ブラシ。
【請求項８】
前記傾斜刷毛群の毛先が、前期把柄部に対してなす角度が４５度であることを特徴とする請求項１〜７のいずれか１項に記載の歯ブラシ。
【考案の詳細な説明】
【技術分野】
【０００１】
本考案は、口腔清掃に用いる歯ブラシに関し、歯の裏側、特に前歯の裏側を清掃するのに好適な歯ブラシに関する。
【背景技術】
【０００２】
一般的に用いられている歯ブラシは、把持体の先端部位に設けられたヘッド部に均一長さの刷毛が垂直に植設されたものが多い。このように均一長さの刷毛が垂直に植設された歯ブラシは、歯の平滑面に対しては刷毛が容易に当接しやすく、良好に清掃することができる。しかし、奥歯や歯の裏等の複雑な面形状、角度を有する部分まで良好に清掃するには、刷毛が奥歯や歯の裏に十分に当接するように歯ブラシの角度を急角度に変えたり、刷毛の側部を用いる等して使い分けしたりする必要があり、理想的な口腔清掃を行うのが難しい。
【０００３】
そこで、刷毛が植設されているヘッド部を小さくして、奥歯まで届くようにする等、効果的な口腔清掃が可能なように歯ブラシの形状等に様々な工夫が施されている。例えば特許文献１には、刷毛の配置に着目し、奥歯や歯の裏側、歯間部等の複雑な面形状の部分にも容易に当接するような歯ブラシが開示されている。
【０００４】
【特許文献１】特開２００１−２８６３４１号公報
【考案の開示】
【考案が解決しようとする課題】
【０００５】
上述したように、均一長さの刷毛が垂直に植設された一般的な歯ブラシを用いて理想的な口腔清掃を行うためには、ある程度の習熟が必要となる。
【０００６】
本考案は係る実情に鑑みてなされたものであり、歯ブラシの刷毛の角度に着目し、容易に刷毛を使い分けることができ、理想的な口腔清掃を行うことが可能な歯ブラシを提供することを目的とする。
【課題を解決するための手段】
【０００７】
本考案による歯ブラシは、把柄部と、前記把柄部の先端に設けられたヘッド部と、前記ヘッド部に植設された刷毛群とを備えた歯ブラシであって、前記刷毛群は、前記ヘッド部に垂直に植設された垂直刷毛群と、前記ヘッド部の前記把柄部側に、毛先が前記把柄部方向に向くように傾斜して植設された傾斜刷毛群とにより構成されることを特徴とする。
また、前記垂直刷毛群と前記傾斜刷毛群とが連設されていることを特徴とする。
また、前記把柄部と前記ヘッド部との間には湾曲部が形成されていることを特徴とする。
また、前記ヘッド部はフラット面を有し、前記垂直刷毛群は前記フラット面に垂直に植設され、前記傾斜刷毛群は前記フラット面に斜めに植設されていることを特徴とする。
また、前記傾斜刷毛群は前記把柄部に近づくにつれて長さが短くなることを特徴とする。
また、前記ヘッド部はフラット面と、前記把柄部側に形成された斜面とを有し、前記垂直刷毛群は前記フラット面に垂直に植設され、前記傾斜刷毛群は前記斜面に垂直に植設されていることを特徴とする。
また、前記傾斜刷毛群は、前記垂直刷毛群に対して４５度に傾斜することを特徴とする。
また、前記傾斜刷毛群の毛先が、前期把柄部に対してなす角度が４５度であることを特徴とする。
【考案の効果】
【０００８】
本考案の歯ブラシによれば、ヘッド部に植設された刷毛群を、垂直に植設された垂直刷毛群と、ヘッド部の把柄部側に、毛先が把柄部方向に向くように傾斜して植設された傾斜刷毛群とにより構成することで、歯の形状、配置、角度によって刷毛群を使い分けることができ、良好な口腔清掃が可能となる。
【０００９】
また、前歯の裏を清掃する際に、傾斜刷毛群の毛先を前歯の裏のような角度をもった部位に対して垂直に近い状態で当接することができるように、傾斜刷毛群の毛先を把柄部に対して角度をなすように構成することで、把柄部を把持する角度を急角度に変えなくとも良好な口腔清掃が可能となる。
【００１０】
また、ヘッド部と把柄部の間に湾曲部を形成することで、把柄部とヘッド部との間に凹状のスペースが生じ、前歯の裏の歯茎又は歯茎より下の歯肉等を清掃する際に、該スペースに前歯を内挿すれば、前歯が把柄部に干渉することなく、また、把柄部の把持する角度を急角度に変えることなく容易に前歯の裏の根元の深い部位にまでヘッド部を案内することができる。また、その際、前歯の裏の根元付近の角度を持った部位に対しても、傾斜刷毛群の毛先は好適に当接され、良好な口腔清掃が可能となる。
【考案を実施するための最良の形態】
【００１１】
（第１の実施の形態）
図１に本考案の第１の実施の形態に係る歯ブラシ１０を示す。歯ブラシ１０は、ユーザが把持する把柄部１１と、その先端部位からまっすぐに延伸するヘッド部１２とが硬質樹脂等で一体成形されている。ヘッド部１２はフラット面を有し、そのフラット面に複数の毛体からなる刷毛群１３、１４が植設されている。なお、図示のように把柄部１１とヘッド部１２とは角度をなさず、まっすぐに延伸するように一体成形されているが、角度を有するように屈曲形成しても構わない。
【００１２】
１３は垂直刷毛群であり、ヘッド部１２に複数の毛体が垂直に植設されて構成される。また、１４は傾斜刷毛群であり、ヘッド部１２の把柄部１１側に複数の毛体が斜めに植設されて構成される。
【００１３】
本実施の形態において、傾斜刷毛群１４は毛先が把柄部１１方向に向くように傾斜し、垂直刷毛群１３に対して角度αを以ってヘッド部１２に植設されている。また、傾斜刷毛群１４は把柄部１１に近づくにつれて長さが短くなり、その毛先が把柄部１１に対して角度βをなすように各毛体の長さが調整されている。
【００１４】
以上のように構成された歯ブラシ１０を用いて口腔清掃を行う場合、歯の平滑面等の刷毛が容易に当接可能な部分は、垂直刷毛群１３を使って清掃する。そして、歯の裏（特に前歯の裏）は、傾斜刷毛群１４を使って清掃する。
【００１５】
図２に、本実施の形態に係る歯ブラシ１０を用いて歯の裏を清掃する様子を示す。１００は下あごにおける前歯であり、１０１は歯茎である。一般的に、図示のように前歯１００の裏面は斜面を形成している。従来の一般的な歯ブラシのように垂直刷毛群１３を前歯１００の裏面に当接させようとすると、把柄部１１を立てるようにして急角度で把持しなければならず、また、開口の大きさを考慮すると良好な毛先の当接は難しい。この場合に、本実施の形態に係る歯ブラシ１０を用いれば、把柄部１１を急角度で把持しなくても、傾斜刷毛群１４の毛先を前歯１００の裏面に垂直に近い状態で当接させるができ、良好な清掃が可能である。また、図２においては、下あごの前歯の裏についての清掃の様子を説明したが、上あごの前歯に歯ブラシ１０を用いても同様に良好な清掃が可能である。
【００１６】
なお、傾斜刷毛群１４の垂直刷毛群１３に対する角度α、及び、傾斜刷毛群１４の毛先が把柄部１１に対してなす角度βは、特に限定されるものではないが、前歯の裏面が側面視で斜面を形成する点（図２）に着目し、個人差のある歯並び、歯の形状等に鑑みても、平均的に角度α、β共に略４５度に設定することが好適である。
【００１７】
（第２の実施の形態）
図３に本考案の第２の実施の形態に係る歯ブラシ２０を示す。なお、第１の実施の形態に係る歯ブラシ１０と同一の構成要素には同一の符号を付して説明する。
【００１８】
歯ブラシ２０は、ユーザが把持する把柄部１１と、その先端部位からまっすぐに延伸するヘッド部２１とが硬質樹脂等で一体成形されている。ヘッド部２１は、フラット面２２及び把柄部１１方向に面を向ける斜面２３ａが形成された凸部２３を有し、フラット面２２に垂直刷毛群１３が垂直に植設され、斜面２３ａに傾斜刷毛群１４が垂直に植設されている。斜面２３ａが形成する角度は特に限定されるものではないが、第１の実施の形態で述べたように略４５度に設定することが好適である。
【００１９】
斜面２３ａには傾斜刷毛群１４が垂直に植設されるが、その毛の長さは均一に揃えられている。したがって、傾斜刷毛群１４の毛先が把柄部１１に対してなす角度βも４５度となる。これにより、第１の実施の形態と同様に、把柄部１１を急角度で把持しなくても、傾斜刷毛群１４の毛先を歯の裏のような角度をもった部位に対して垂直に近い状態で当接させることができ、良好な清掃が可能である。
【００２０】
（第３の実施の形態）
図４に本考案の第３の実施の形態に係る歯ブラシ３０を示す。なお、第１の実施の形態に係る歯ブラシ１０と同一の構成要素には同一の符号を付して説明する。
【００２１】
歯ブラシ３０は、把柄部１１の先端のヘッド部３１そのものを屈曲させて、垂直刷毛群１３が植設されるフラット面３２と、フラット面３２よりも把柄部１１側にフラット面３２から鋭角に折曲された斜面３３とが形成されている。そして、フラット面３２に垂直刷毛群１３が垂直に植設され、斜面３３に傾斜刷毛群１４が垂直に植設されている。斜面３３が形成する角度は特に限定されるものではないが、第１の実施の形態で述べたように略４５度に設定することが好適である。
【００２２】
斜面３３には傾斜刷毛群１４が垂直に植設されるが、その毛の長さは均一に揃えられている。したがって、傾斜刷毛群１４の毛先が把柄部１１に対してなす角度βも４５度となる。これにより、第１の実施の形態と同様に、把柄部１１を急角度で把持しなくても、傾斜刷毛群１４の毛先を歯の裏のような角度をもった部位に対して垂直に近い状態で当接させることができ、良好な清掃が可能である。
【００２３】
（第４の実施の形態）
図５に本考案の第４の実施の形態に係る歯ブラシ４０を示す。歯ブラシ４０は、第１〜３の実施の形態に係る歯ブラシにおける把柄部とヘッド部との間に湾曲部４１を形成したものである。なお、本実施の形態においては、第１の実施の形態に係る歯ブラシ１０に湾曲部を設けた例であり、第１の実施の形態に係る歯ブラシ１０と同一の構成要素には同一の符号を付して説明する。
【００２４】
把柄部１１とヘッド部１２との間に湾曲部４１が形成されている。湾曲部４１は、把柄部１１とヘッド部１２との間で全体が凹状に湾曲形成される。このように湾曲部４１が形成されることで、把柄部１１とヘッド部１２との間に凹状にスペースが生じる。そのため、前歯の裏の歯茎又は歯茎より下の歯肉等を清掃する際に、該スペースに前歯を内挿すれば、前歯が把柄部１１に干渉することがない。また、把柄部１１の把持角度を急角度に変えることなく容易に前歯の裏の根元の深い部位にまでヘッド部１２を案内することができる。また、その際、前歯の裏の根元付近等の角度を持った部位に対しても、傾斜刷毛群１４の毛先は好適に当接され、良好な清掃が可能である。
【００２５】
図６を用いて、歯ブラシ４０による歯の裏を清掃する様子を詳述する。図６に示す前歯１００及び歯茎１０１は図２に示したものと同一である。湾曲部４１を形成したことで生じたスペースに前歯１００が内挿されるように、把柄部１１を把持すれば、前歯１００が把柄部１１に干渉することなく、ヘッド部１２を歯の裏の根元の深い部位まで案内することができる。特に、傾斜刷毛群１４の把柄部１１側の刷毛を前歯１００の裏面の根元に位置させることができる。歯茎１０１も前歯１００の裏面同様に斜面を有しているので、傾斜刷毛群１４を用いることで好適に毛先を前歯１００の根元、歯茎および歯茎の下の歯肉に当接させることができ、良好な清掃が可能である。
【００２６】
湾曲部４１について、その形状は適宜設計変更可能である。前歯１００の高さが１０ｍｍ程度であれば、把柄部１１とヘッド部１２との間で５ｍｍ程度凹むように形成されることが好適である（高さＨ）。また、湾曲部４１を形成することで、ヘッド部１２が可撓する効果も得られ、歯に対する刷毛のフィット性が向上する。
【００２７】
なお、湾曲部４１は第２、３の実施の形態に係る歯ブラシに形成しても好適に実施可能である。また、図６においては、下あごの前歯の裏についての清掃の様子を説明したが、上あごの前歯に歯ブラシ４０を用いても同様に良好な清掃が可能である。
【００２８】
また、図７に歯ブラシ４０の変形例を示す。本例の歯ブラシ４０−１は垂直刷毛群１３の植設される刷毛の数を増やし、把柄部１１側に延出させたものである。この場合、垂直刷毛群１３と傾斜刷毛群１４は混在してヘッド部１２に植設されている。
【００２９】
（第５の実施の形態）
さらに、図８に本考案の第５の実施の形態に係る歯ブラシ５０を示す。本実施の形態においても、第１の実施の形態と同一の構成要素には同一の同符号を付して説明する。歯ブラシ５０は、第１の実施の形態に示した歯ブラシ１０の傾斜刷毛群１４の毛先を均一長さとした刷毛群５１を有するものであり、植設する角度のみを把柄部１１方向に傾斜するようにしたものである。歯ブラシ５０を使用した場合は、歯の平滑面等に好適であり、歯の清掃の際、例えば歯並び方向にブラッシングを行えば、異なる角度で植設された刷毛群５１が歯間に入り込み良好な清掃が可能となる。
【００３０】
以上のように、本考案の実施の形態に係る歯ブラシを使用する際、ヘッド部に植設された刷毛群を、垂直に植設された垂直刷毛群１３と、ヘッド部の把柄部側に、毛先が把柄部１１方向に向くように傾斜して植設された傾斜刷毛群１４とにより構成することで、歯の形状、配置、角度によって刷毛群を使い分けることができ、良好な歯の清掃が可能となる。
【００３１】
また、歯の裏を清掃する際に、傾斜刷毛群１４の毛先を歯の裏のような角度をもった部位に対して垂直に近い状態で当接することができるように、傾斜刷毛群１４の毛先を把柄部１１に対して角度β（４５度）をなすように構成することで、把柄部を把持する角度を急角度に変えなくとも良好な口腔清掃が可能となる。
【００３２】
また、湾曲部４１を形成することで、把柄部１１とヘッド部１２との間に凹状のスペースが生じ、前歯の裏の歯茎又は歯茎より下の歯肉等を清掃する際に、該スペースに前歯を内挿すれば、前歯が把柄部１１に干渉することなく、また把柄部１１の把持する角度を急角度に変えることなく、容易に前歯の裏の根元の深い部位にまでヘッド部１２を案内することができる。また、その際、前歯の裏の根元付近の角度を持った部位に対しても、傾斜刷毛群１４の毛先は好適に当接され、良好な清掃をすることができる。
【００３３】
図９に回転式歯ブラシ６０を示す。歯ブラシ６０は、刷毛が植設されるヘッド筒６１と、把柄部６２とが挿脱可能に構成されている。把柄部６２の先端軸部６３と、ヘッド筒６１に内挿されるシリンダ６４の一端とが連結し、シリンダ６４外面とヘッド筒６１の内面の当設部位は、螺旋状に設けられた案内機構６６が設けられている。また、シリンダ６４の他端はヘッド部６１に内設されたスプリング６５によって弾性支持されている。かかる構成により、把柄部６２を押引することで、ヘッド筒６１が滑らかに回動動作が可能となっている。
【００３４】
歯ブラシ６０を使用して歯を清掃する際、刷毛を歯に当接させた状態で把柄部６２を押引することで、ヘッド部６１が回動動作をする。これにより、例えば歯並び方向のブラッシングに回動動作が加わるので、良好な清掃が可能となる。このように構成された歯ブラシ６０に、本考案の歯ブラシを組み合わせれば、さらに好適な歯ブラシを提供することが可能である。
【図面の簡単な説明】
【００３５】
【図１】本考案の第１の実施の形態に係る歯ブラシを示す図である。
【図２】本考案の第１の実施の形態に係る歯ブラシの使用時について説明するための図である。
【図３】本考案の第２の実施の形態に係る歯ブラシを示す図である。
【図４】本考案の第３の実施の形態に係る歯ブラシを示す図である。
【図５】本考案の第４の実施の形態に係る歯ブラシを示す図である。
【図６】本考案の第４の実施の形態に係る歯ブラシの使用時について説明するための図である。
【図７】本考案の第４の実施の形態に係る歯ブラシの変形例を示す図である。
【図８】本考案の第５の実施の形態に係る歯ブラシを示す図である。
【図９】本考案に係る歯ブラシを回転式歯ブラシに適用した例を示す図である。
【符号の説明】
【００３６】
１０    歯ブラシ
１１    把柄部
１２    ヘッド部
１３    垂直刷毛群
１４    傾斜刷毛群
２０    歯ブラシ
２１    ヘッド部
２２    フラット面
２３    凸部
２３ａ    斜面
３０    歯ブラシ
３１    ヘッド部
３２    フラット面
３３    斜面
４０    歯ブラシ
４０−１    歯ブラシ
４１    湾曲部
５０    歯ブラシ
５１    刷毛群
【図１】
0003120281.tif 000003
【図２】
0003120281.tif 000004
【図３】
0003120281.tif 000005
【図４】
0003120281.tif 000006
【図５】
0003120281.tif 000007
【図６】
0003120281.tif 000008
【図７】
0003120281.tif 000009
【図８】
0003120281.tif 000010
【図９】
0003120281.tif 000011